(57)【要約】【課題】  位置を制限可能な定位作用を達成し使用機能を増進可能なスライドレール収納定位装置を提供する。【解決手段】  構造は内レール１が中レール組２の主レール体２１中を貫通、接続し、中レール組２１は主レール体２１と固接する副レール体２２により外レール３に接続する。中レール組２の後端には固定片６を設置する。固定片６の垂直部分上には縮頚部６１を備え、縮頚部６１下縁に相対し２個の肩部６２を形成し、係合接ユニットとする。内レール１後端には釈放ユニット１１を形成する。外レール３の末端には定位器７を設置する。定位器７本体はおよそ「コ」の字型の断面を呈する基台７１を備え、基台７１両側にはそれぞれ垂直板垣７２を形成する。垂直板垣７２は述固定片６が適当な高度を保持するよう支えることが可能で、基台７１底面に設置する孔７１１により外レール３上において固定する。【選択図】    図１
0003107184.tif 000002
【実用新案登録請求の範囲】
【請求項１】
内レールが中レール組の主レール体中を貫通および接続し、中レール組は主レール体と固接する副レール体により外レールに接続し、内レールと主レール体との間、副レール体と外レールとの間は、それぞれボールベアリング式の２個のスライド補助部品によりベアリング移動を媒介し、かつ中レール組の後端には固定片を設置し、
外レールの末端には定位器を設置し、定位器本体は基台を備え、基台底面により外レール表面において固定し、かつ基台後端は上方に向かい湾曲延伸し立面板体を形成し、立面板体上縁は前方に向かい嵌合片を設置し、
内レール後端は定位器に相対し、固定片により係合接ユニットとし、固定片は垂直部分上に縮頚部を備え、縮頚部下縁には２個の肩部を備え、
内レールが中レール組に入り固定片により定位され、かつ一緒に外レール末端に収まるとき、定位器上の嵌合片は固定片の肩部上に係合され、内レール、中レール組、外レール三者は相互に定位されていることを特徴とするスライドレール収納定位装置。
【請求項２】
前記定位器は弾性を備えた薄板鋼料によりプレス製造し、板金などの工法により湾曲成型することを特徴とする請求項１記載のスライドレール収納定位装置。
【請求項３】
前記定位器は前記基台底面に孔を設置し、前記外レール表面はリベット結合体を形成し、相対的に穿結リベット固定することを特徴とする請求項１記載のスライドレール収納定位装置。
【請求項４】
前記基台両側にはそれぞれ垂直板垣を形成し、固定片が適当な高度を保つよう支えることを特徴とする請求項１記載のスライドレール収納定位装置。
【請求項５】
内レールと外レールとにスライド補助部品であるベアリングを対応させ組成する引出し、収納可能なスライドレールであって、
外レールの末端には定位器を設置し、定位器本体は基台を備え、基台底面により外レール表面において固定し、かつ基台後端は上方に向かい湾曲延伸し立面板体を形成し、立面板体上縁は前方に向かい嵌合片を設置し、
内レール後端は定位器に相対し係合接ユニットを設置し、係合ユニットは内レール後端に係合体を形成し、係合体は下方両側において肩部を延伸し、
内レールが外レールに収納される時、係合体の肩部は定位器上の嵌合片により相対的に係合、定位されていることを特徴とするスライドレール収納定位装置。
【請求項６】
前記定位器は弾性を備えた薄板鋼料によりプレス製造し、板金などの工法により湾曲成型することを特徴とする請求項５記載のスライドレール収納定位装置。
【請求項７】
前記定位器は前記基台底面に孔を設置し、前記外レール表面はリベット結合体を形成し、相対的に穿結リベット固定することを特徴とする請求項５記載のスライドレール収納定位装置。
【考案の詳細な説明】
【技術分野】
【０００１】
本考案は、一種のスライドレール収納定位装置に関する。特に外レール（固定レール）末端に設置する定位器で、内レール（可動レール）収納後は相互に係合、定位される設計であるスライドレール収納定位装置に関する。
【背景技術】
【０００２】
一般の三段式スライドレールは固定レール（外レール）、受止めレール（中レール）、可動レール（内レール）を含む。たんす及びその引出しに使用するスライドレールの固定レール（外レール）はたんすに固定され、可動レール（内レール）は引出しの両側に固定される。受止めレール（中レール）は通常はボールベアリング式のスライド補助部品を固定レール（外レール）中に穿設し、可動レール（内レール）の滑動を受止める。これにより、可動レール（内レール）及び受止めレール（中レール）は同一の軸線方向に沿って、固定レール（外レール）に相対し往復運動を行う。
外レール、中レール、内レールを含む三段式スライドレールは現在、一種のラッチ設計を利用し、スライドレールが全開位置まで完全に引き出され時には定位状態を維持する。この種のラッチ設計では、申請人は米国特許第６４６４３１１号を取得している。
【０００３】
【特許文献１】米国特許第６４６４３１１号
【考案の開示】
【考案が解決しようとする課題】
【０００４】
しかしながら、スライドレールは全開位置まで引き出された状態である時、定位が必要である。スライドレール収納後に適当に固定し、またスライドレールと結合する物品と一緒での定位を助けるなら、その使用機能を増進することが可能となる。
【０００５】
したがって本考案の目的は、位置を制限可能な定位作用を達成し使用機能を増進可能なスライドレール収納定位装置を提供することにある。
【課題を解決するための手段】
【０００６】
上述の目的を達成するために本考案の請求項に記載のスライドレール収納定位装置は、定位器は弾性を備えた薄板鋼料によりプレス製造し、板金などの工法により湾曲成型する。本体の基台部分はおおむね「コの字」型断面を呈し、両側にはそれぞれ垂直板垣を形成する。底面に設置する孔により外レール（固定レール）上においてリベット固定し、かつ基台後端は上方へと湾曲し立面板体を延伸し、立面板体上縁は前方へと２枚の嵌合片を設置する。
【０００７】
定位器の設置により、嵌合片などの適当な構造を利用し、内レール（可動レール）後端の係合体に対応し、或いは中レール（受止めレール）後端に連結する係合接ユニットを通して相対し係合する定位形態を提供することを特徴とするスライドレール収納定位装置である。
【考案の効果】
【０００８】
上述のように、本考案は外レール（固定レール）の末端に定位器を設置し、内レール（可動レール）の収納後は相互に係合し、位置を制限可能な定位作用を達成する。さらに本考案は二段式スライドレール、或いは三段式スライドレールとすることが可能で、本考案定位器の設置により、嵌合片などの適当な構造を利用し、内レール（可動レール）後端の係合体に対応し、或いは中レール（受止めレール）後端に連結する係合接ユニットを通して相対し係合する定位形態を提供することが可能である。
【考案を実施するための最良の形態】
【０００９】
以下、本考案の実施例を図面に基づいて説明する。
図１、図２に示すように、本考案の実施例によるスライドレール収納定位装置は前記米国特許第６４６４３１１号のラッチ機構と対応する三段式スライドレールを例とする。構造は内レール１が中レール組２の主レール体２１中を貫通、接続し、中レール組２１は主レール体２１と固接する副レール体２２により外レール３に接続する。内レール１と主レール体２１間、副レール体２２と外レール３間は、それぞれボールベアリング式の２個のスライド補助部品４、スライド補助部品５によりベアリング移動を媒介し、かつ中レール組２の後端には固定片６を設置する。固定片６の垂直部分上には縮頚部６１を備え、縮頚部６１下縁に相対し２個の肩部６２を形成し、係合接ユニットとする。また固定片６に対応し固定を解除し、内レール１後端において適当な釈放ユニット１１を形成する（固定片６と釈放ユニット１１の構造原理は米国特許第６４６４３１１号を参照のこと。ここでは詳述しない。）三段式スライドレールの全体方式及び「ラッチ」機構は本考案の主要な請求項目ではなく、かつ絶対に設置しなければならない構造ではないため、本考案の請求範囲を制限するものではない。
【００１０】
外レール３の末端には定位器７を設置する。定位器７の製造実施方式は弾性を備えた薄板鋼料により型をプレスし、板金などの工法で成型するものである。定位器７本体はおよそ「コ」の字型の断面を呈する基台７１を備え、基台７１両側にはそれぞれ垂直板垣７２を形成する。垂直板垣７２は述固定片６が適当な高度を保持するよう支えることが可能で、基台７１底面に設置する孔７１１により外レール３上において固定する。その固定方式は外レール３表面よりリベット結合体３１を形成し、リベット固定し、かつ基台７１後端より上方へと湾曲延伸し立面板体７３を形成する。立面板体７３上縁には前方へ向い２枚の嵌合片７４を設置する。
【００１１】
上述実施例の設計で組合せ使用する場合においてスライドレールを収納する時には、図３に示すように、内レール１は相互に接続する引き出しなどに従い、操作者により外レール３に向い収めた後、内レール１は後端の釈放ユニット１１により中レール組２上に穿伸する固定片６に嵌合され、一緒に外レール３末端まで移動される。収納が末端至った状態では、定位器７立面板体７３上縁の嵌合片７４により固定片６の肩部６２上に係合される。こうして完成する定位関係は、内レール１は固定片６と中レール組２の固定を通じて、中レール組２は固定片６の定位器７嵌合片７４における係合と外レール３の固定を通じて、スライドレールの各レール全体は収納定位される。
【００１２】
上述のように内レール１は間接的に中レール組２上に備える固定片６を係合接ユニットとし、定位器７は定位作用を達成する。しかし、この方式は本考案の実施例による定位器７の唯一の使用形態ではない。かつ上述の主レール体２１により固接する副レール体２２が形成する中レール組２もまた「中レール（受止めレール）」の唯一の設計ではない。公知の技術においては、単一レール体を使用する中レール（受止めレール）により三段式スライドレールを組成するが、ここでは別に記述しない。
【００１３】
さらに、もし二段式スライドレールとするなら、上述実施例でいうスライドレールを例とし説明する。図４に示すように、内レール１はスライド補助部品５をベアリング移動の媒介とし外レール３に組成する。これは一種の二段式スライドレールで、この種の二段式スライドレールも本考案定位器７の運用範囲内である。
【００１４】
二段式スライドレールは定位器７を設置し、図４に示すように、定位器７は同様に外レール３の後端に設置し、内レール１は主に後端において係合体１２を設置する。係合体１２は内レール１後端縁より外レール３内面に向い一体に湾曲成型し、係合体１２は下方両側において２個の肩部１２１を延伸し、係合接ユニットとする。これにより、内レール１が外レール３の末端にまで収まる時、図５に示すように、定位器７上の嵌合片７４により係合体１２の肩部１２１上に係合し、定位効果を達成する。
【００１５】
また、上述内レール１後端に設置する係合体１２が定位器７嵌合片７４を固定するには、もし内レール１と外レール３間にさらに中レール（受止めレール）を加え三段式スライドレールとするならそれも可能である。中レール（受止めレール）後端を係合体１２と嵌合片７４に対応させ適当な空間を形成すれば良く、或いは中レール（受止めレール）の後端を短く切断しても内レール１の収納、定位に定位器７を運用することが可能である。
【図面の簡単な説明】
【００１６】
【図１】本考案の実施例によるスライドレール収納定位装置を示す構造図である。
【図２】本考案の実施例によるスライドレール収納定位装置を示す組合立体図である。
【図３】本考案の実施例によるスライドレール収納定位装置を示す収納定位状態図である。
【図４】本考案のスライドレール収納定位装置を二段式にした実施例を示す組合立体図である。
【図５】本考案のスライドレール収納定位装置を二段式にした実施例の収納定位状態を示す図である。
【符号の説明】
【００１７】
１  内レール、２  中レール組、３  外レール、４  スライド補助部品、５  スライド補助部品、６  固定片、７  定位器、１１  釈放ユニット、１２  係合体、２１  主レール体、２２  副レール体、３１  リベット結合体、６１  縮頚部、６２  肩部、７１  基台、７２  垂直板垣、７３  立面板体、７４  嵌合片、１２１  肩部、７１１  孔
【図１】
0003107184.tif 000003
【図２】
0003107184.tif 000004
【図３】
0003107184.tif 000005
【図４】
0003107184.tif 000006
【図５】
0003107184.tif 000007